(57)【要約】【課題】通常のプランターと同じように、上から散水して簡単に給水する。【解決手段】植物栽培用のバッグは、シート３を袋状にしてなるバッグ１に培土２を充填しており、バッグ１に植付孔１０を設けて、植付孔１０から植物Ｓを成長させる。バッグ１は、その周縁に、培土２を充填しない外周シート部４を設けており、この外周シート部４を上向きに折曲すると共に、バッグ１の隅部６で連結して、外周シート部４の内側に水溜部５を設けている。さらに、バッグ１は、この水溜部５に連通して、水溜部５に蓄えられる水をバッグ１内に流入させる通水部７を設けている。バッグ１は、水溜部５に供給される水を水溜部５に蓄え、水溜部５の水を通水部７から内部に流入して培土２に給水する。【選択図】図３
2005151822.tif 000002
【特許請求の範囲】
【請求項１】
シート(3)を袋状にしてなるバッグ(1)に培土(2)を充填しており、バッグ(1)に植付孔(10)を設けて、植付孔(10)から植物(S)を成長させる植物栽培用のバッグにおいて、
バッグ(1)の周縁に、培土(2)を充填しない外周シート部(4)を設けており、この外周シート部(4)を上向きに折曲すると共に、バッグ(1)の隅部(6)で連結して、外周シート部(4)の内側に水溜部(5)を設けており、この水溜部(5)に連通して、水溜部(5)に蓄えられる水をバッグ(1)内に流入させる通水部(7)を設けており、
水溜部(5)に供給される水を水溜部(5)に蓄え、水溜部(5)の水を通水部(7)から内部に流入して培土(2)に給水するようにしてなる植物栽培用のバッグ。
【請求項２】
バッグ(1)が非通水性のシート(3)で製作され、バッグ(1)の通水部(7)に貫通孔(8)を設けて、水溜部(5)の水をバッグ(1)の内部に流入させる請求項１に記載される植物栽培用のバッグ。
【請求項３】
バッグ(1)がプラスチックシートで製作されてなる請求項２に記載される植物栽培用のバッグ。
【請求項４】
シート(3)が通水性のシートで、水溜部(5)の水をバッグ(1)の内部に流入させる請求項１に記載される植物栽培用のバッグ。
【請求項５】
外周シート部(4)を補強材(11)で補強している請求項１に記載される植物栽培用のバッグ。
【請求項６】
バッグ(1)の底部に排水孔(9)を設けている請求項１に記載される植物栽培用のバッグ。
【発明の詳細な説明】
【技術分野】
【０００１】
本発明は、バッグから培土を出すことなく、バッグに充填している培土に直接に植物を植え付けして生育できる植物栽培用のバッグに関する。
【背景技術】
【０００２】
培土を充填しているバッグに直接に植物を植え付けするバッグ式栽培方法は開発されている（特許文献１参照）。
【特許文献１】特開平８−３２２３７８号公報
【０００３】
植物栽培用のバッグは、図１に示すように直接に植物Ｓを植え付けできるので、植物Ｓの植え付けを簡単にできると共に、プランター等の栽培容器を使用しないで経済的に栽培できる特長がある。また、上面をバッグ２１のシート２３で閉塞しているので、雑草が繁殖するのを防止できる特長もある。
【発明の開示】
【発明が解決しようとする課題】
【０００４】
ただ、植物栽培用のバッグは上面閉塞しているので、培土２２への給水を簡単にできない欠点がある。図１に示す植物栽培用のバッグは、給水管２４を挿通し、給水管２４で培土２２に給水している。この構造は、給水が複雑になって、通常のプランターのように、上から散水して簡単に給水できない。
【０００５】
本発明は、この欠点を解決することを目的に開発されたものである。本発明の重要な目的は、通常のプランターと同じように、上から散水して簡単に給水できる植物栽培用のバッグを提供することにある。
【課題を解決するための手段】
【０００６】
本発明の植物栽培用のバッグは、シート３を袋状にしてなるバッグ１に培土２を充填しており、バッグ１に植付孔１０を設けて、植付孔１０から植物Ｓを成長させる。バッグ１は、その周縁に、培土２を充填しない外周シート部４を設けており、この外周シート部４を上向きに折曲すると共に、バッグ１の隅部６で連結して、外周シート部４の内側に水溜部５を設けている。さらに、バッグ１は、この水溜部５に連通して、水溜部５に蓄えられる水をバッグ１内に流入させる通水部７を設けている。バッグ１は、水溜部５に供給される水を水溜部５に蓄え、水溜部５の水を通水部７から内部に流入して培土２に給水する。
【０００７】
バッグ１は、非通水性のシート３で製作して、バッグ１の通水部７に貫通孔８を設けて、水溜部５の水をバッグ１の内部に流入させることができる。このバッグ１は、プラスチックシート３で製作することができる。さらに、バッグ１は、シート３を通水性のシートとして、水溜部５の水をバッグ１の内部に流入させることができる。さらに、バッグ１は、外周シート部４を補強材１１で補強することができる。さらにまた、バッグ１は、底部に排水孔９を設けることができる。
【発明の効果】
【０００８】
本発明の植物栽培用のバッグは、上から散水して簡単に給水できる特長がある。それは、本発明の植物栽培用のバッグが、培土を充填してなるバッグの周縁に培土を充填しない外周シート部を設けて、この外周シート部を上向きに折曲すると共に、バッグの隅部で連結して、外周シート部の内側に水溜部を設けており、この水溜部に連通して、水溜部に蓄えられる水をバッグ内に流入させる通水部を設けているからである。この構造の植物栽培用のバッグは、供給される水を水溜部に蓄え、水溜部に蓄えられた水を通水部から内部に流入して培土に給水する。したがって、通常のプランターのように上から散水して、培土への給水を簡単にできる。しかも、この植物栽培用のバッグは、上面をシートで閉塞しているので、簡単に給水しながら雑草が繁殖するのを防止できる特長もある。
【０００９】
さらに、本発明の植物栽培用のバッグは、外周シート部の幅を変更して水溜部の容積を簡単に調整できる特長もある。このバッグは、栽培する植物に最適となるように給水量を調整できる。
【発明を実施するための最良の形態】
【００１０】
以下、本発明の実施例を図面に基づいて説明する。ただし、以下に示す実施例は、本発明の技術思想を具体化するための植物栽培用のバッグを例示するものであって、本発明は植物栽培用のバッグを以下のものに特定しない。
【００１１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１２】
図２と図３に示す植物栽培用のバッグは、シート３を袋状にしてなるバッグ１に培土２を充填している。シート３は可撓性のあるプラスチックシート、あるいは通水性のある不織布等のシートである。この植物栽培用のバッグは、図３の断面図に示すように、バッグ１の上面に植付孔１０を設け、この植付孔１０に植物Ｓを植え付けて成長させる。
【００１３】
この植物栽培用のバッグは、培土２の充填されない外周シート部４がバッグ１の周縁にできるように、図４の斜視図に示すように、プラスチックシートを２枚重ねて周縁を溶着している。外周シート部４は、幅を広くして、散水される水の貯水量を多くできる。したがって、外周シート部４の幅は、貯水量を考慮して５ｃｍとする。ただ、外周シート部の幅は、たとえば１〜１０ｃｍ、好ましくは２〜８ｃｍ、さらに好ましくは３〜７ｃｍとすることもできる。容積の小さいバッグは、外周シート部の幅を狭くして、貯水量を小さくできる。反対に容積の大きいバッグは、外周シート部の幅を広くして貯水量を多くする。
【００１４】
バッグ１は、四角形に裁断して２枚のシート３を重ね、図４に示すように、四角形の３辺を溶着、接着、縫着等の方法で連結し、連結していない開口部から培土２を充填し、その後、開口部で２枚のシート３を重ねて、溶着、接着、縫着等の方法で連結して製作される。
【００１５】
外周シート部４は、上向きに折曲されて、その内側に水溜部５を設けている。外周シート部４を上向きに保持するために、外周シート部４はバッグ１の隅部６で連結されて、外周シート部４の内側を水溜部５としている。外周シート部４は、その隅部６で水が漏れないように、水密構造で連結される。図５ないし図７は、外周シート部４の隅部６を水密に連結する工程を示す。外周シート部４は、平面状に広げられる状態では、図５に示すように、隅部６で直角に連結されている。隅部６は、図５の鎖線で示すように、内側縁の隅角６ａから、直交する内側縁を外側に延長する２方向の直角折れ線６ｍと、内側縁の隅角６ａから外側縁の隅角６ｂに伸びる１方向の傾斜折れ線６ｎとを折り目として折曲される。図６に示すように、傾斜折れ線６ｎが内側に突出し、直角折れ線６ｍが外側に突出するように折曲して、すなわち傾斜折れ線６ｎを山折りし、直角折れ線６ｍを谷折りして、内側に突出する折曲片６Ａを外周シート部４の一方に固定する。折曲片６Ａは粘着テープで固定され、あるいは、細い金属線材を外周シート部に貫通し、先端部を折り曲げて固定する、ホッチキス（登録商標）で固定し、あるいは接着して固定し、あるいは両面接着テープで折曲片と外周シート部の内面とを接着して固定する。以上の構造で上向きに折曲している外周シート部４を連結する構造は、連結部から水が漏れない特長がある。ただし、外周シート部の隅部は、以上の構造とは反対に、傾斜折れ線を外側に突出するように谷折りし、２本の直角折れ線を重ね合わせる状態で、一方の直角折れ線を谷折りすると共に、他方の直角折れ線を山折りして、外側に突出する折曲片を外周シート部の一方の外面に固定することもできる。さらに、本発明は、外周シート部の隅部を連結する構造を以上の構造に特定するものではなく、外周シート部の隅部は、水漏れしない他の構造で連結することもできる。
【００１６】
外周シート部は、一部に補強材を固定して、倒れないように補強できる。図８の補強材１１は、板材１１ＡをＵ曲する形状としたものである。この補強材１１は、Ｕ曲している両側の板材１１Ａの間に外周シート部４を挿入し、両側の板材１１Ａで外周シート部４を補強する。図９は外周シート部４を連結する連結部に固定される補強材１１である。この補強材１１は、Ｕ曲した板材１１ＡをＬ字状に折曲して、外周シート部４の隅部６を挿入できる形状としている。
【００１７】
さらに、補強材１１は、図１０に示すように、外周シート部４の外周縁部に沿って固定された線材１１Ｂとすることもできる。この図のバッグは、一部拡大断面図に示すように、２枚のシート３を接着して外周シート部４を成形するときに、線材１１Ｂを内部に埋設して補強材１１としている。図示しないが、線材は、外周シート部の外表面に接着等の方法で固定することもできる。線材１１Ｂには、金属線、たとえば針金が最適である。線材１１Ｂである金属線は、手で折曲できるが、シートの弾性では変形しない程度の硬さのものが最適である。この構造の外周シート部４は、上向きに折曲された外周シート部４の上端縁部の外形が変形しても、手で簡単に修正できる特長がある。とくに、この構造の外周シート部４は、隅部６の線材１４Ｂを手で変形させて隅部６で連結することにより、極めて簡単に上向きに折曲した姿勢に保持できる特長がある。ただ、線材である補強材には、手で折曲できない硬さのものも使用できる。この線材は、外周シート部の直線部分には直線状のものを固定し、また、外周シート部の隅部には折曲されたものを固定して、これらの部分が変形するのを確実に防止できる。
【００１８】
さらに、バッグ１は、水溜部５に連通して、水溜部５に蓄えられる水をバッグ１内に流入させる通水部７を設けている。プラスチックシート等の非通水性のシート３で製作されるバッグ１は、通水部７に貫通孔８を設ける。この貫通孔８を設けている通水部７は、水溜部５に貯溜される水を通過させて、内部の培土２に給水する。バッグは、不織布等のように通水部のあるシートで製作することもできる。このバッグは、通水性のあるシートを透過して、水溜部に貯溜される水を内部に透過できる。通水性のあるシートで製作されるバッグは、外周シート部を防水構造とする。外周シート部の内側に水溜部を設けるためである。外周シート部は、はっ水材を塗布し、あるいは非通水性のコーティングをして、防水構造にできる。
【００１９】
さらに、バッグ１は、底部に排水孔９を設けている。このバッグ１は、培土２に供給される余剰水を排水して植物Ｓの根腐れを防止できる。ただし、バッグは、必ずしも底部に排水孔を設ける必要はない。供給する水量を調整して根腐れを防止できるからである。
【図面の簡単な説明】
【００２０】
【図１】従来の植物栽培用のバッグの使用状態を示す斜視図である。
【図２】本発明の一実施例にかかる植物栽培用のバッグの斜視図である。
【図３】図１に示す植物栽培用のバッグの使用状態を示す一部拡大断面図である。
【図４】図１に示すバッグの構造を示す斜視図である。
【図５】外周シート部の隅部を水密に連結する工程を示す図である。
【図６】外周シート部の隅部を水密に連結する工程を示す図である。
【図７】外周シート部の隅部を水密に連結する工程を示す図である。
【図８】外周シート部を補強材で補強する一例を示す斜視図である。
【図９】外周シート部を補強材で補強する他の一例を示す斜視図である。
【図１０】外周シート部を補強材で補強する他の一例を示す一部拡大断面斜視図である。
【符号の説明】
【００２１】
１…バッグ
２…培土
３…シート
４…外周シート部
５…水溜部
６…隅部                ６Ａ…折曲片
６ａ…内側縁の隅角      ６ｂ…外側縁の隅角
６ｍ…直角折れ線        ６ｎ…傾斜折れ線
７…通水部
８…貫通孔
９…排水孔
１０…植付孔
１１…補強材            １１Ａ…板材            １１Ｂ…線材
２１…バッグ
２２…培土
２３…シート
２４…給水管
Ｓ…植物
【図１】
2005151822.tif 000003
【図２】
2005151822.tif 000004
【図３】
2005151822.tif 000005
【図４】
2005151822.tif 000006
【図５】
2005151822.tif 000007
【図６】
2005151822.tif 000008
【図７】
2005151822.tif 000009
【図８】
2005151822.tif 000010
【図９】
2005151822.tif 000011
【図１０】
2005151822.tif 000012